(57)【要約】【課題】小型化を実現すると共に、洗浄水の必要流量を確保しつつポート間の切り替え速度を向上させること。【解決手段】実施形態に係る衛生洗浄装置は、洗浄ノズルと、流路切替部とを備える。洗浄ノズルは、少なくとも３つの流路を有する。流路切替部は、各流路に選択的に洗浄水を供給し、固定ディスクと、可動ディスクを備える。固定ディスクは、第１〜第３ポートを備える。第１ポートは、第１円周上に複数配置され、各流路のいずれかとそれぞれ接続される。第２ポートおよび第３ポートは、第１円周よりも内径側となる第２円周上に配置され、各流路のうちいずれか同じ流路と接続される。可動ディスクは、第１〜第３開口部を備える。第１開口部は、第１円周上に配置され、第１ポートを選択的に露出させる。第２開口部および第３開口部は、第１ポートが露出しない場合に第２ポートおよび第３開口部を露出させる。【選択図】図４Ａ
2019027248.tif 000002
【特許請求の範囲】
【請求項１】
少なくとも３つの流路を有し、前記各流路のそれぞれから供給された洗浄水を吐水可能な洗浄ノズルと、
前記各流路に選択的に洗浄水を供給する流路切替部と、
を備え、
前記流路切替部は、
一方面と前記一方面の反対側の他方面とを有する固定ディスクと、
前記固定ディスクの前記一方面に当接し、前記一方面と直交する方向を回転軸として該一方面上で回転可能な可動ディスクと、
を備え、
前記固定ディスクは、
前記一方面において前記可動ディスクの前記回転軸を中心とする第１円周上に複数配置され、前記各流路のいずれかとそれぞれ接続される第１ポートと、
前記一方面において前記可動ディスクの前記回転軸を中心として前記第１円周よりも内径側となる第２円周上に配置され、前記各流路のいずれかと接続される第２ポートと、
前記第２円周上に配置され、前記各流路のうち前記第２ポートに接続された流路と接続される第３ポートと、
を備え、
前記可動ディスクは、
前記第１円周上に配置され、当該可動ディスクの回転により前記第１ポートを選択的に露出させる第１開口部と、
前記第２円周上に配置され、前記第１ポートが露出しない場合に前記第２ポートを露出させる第２開口部と、
前記第２円周上に配置され、前記第１ポートが露出しない場合に前記第２ポートと同時に前記第３ポートを露出させる第３開口部と、
を備えること
を特徴とする衛生洗浄装置。
【請求項２】
前記流路は、
人体局部の洗浄に供する局部洗浄流路と、
前記洗浄ノズルの洗浄に供するノズル洗浄流路と、
を備え、
前記第１ポートは、
前記局部洗浄流路と接続され、
前記第２ポートおよび前記第３ポートは、
前記ノズル洗浄流路とそれぞれ接続されること
を特徴とする請求項１に記載の衛生洗浄装置。
【請求項３】
前記第１ポートは、
前記可動ディスクの回転により、前記第２ポートおよび前記第３ポートが前記ノズル洗浄流路と接続されてから前記局部洗浄流路と接続されること
を特徴とする請求項２に記載の衛生洗浄装置。
【請求項４】
前記第２ポートおよび前記第３ポートは、
前記可動ディスクの前記回転軸を挟んで互いに反対側に配置されること
を特徴とする請求項２または３に記載の衛生洗浄装置。
【請求項５】
請求項１〜４のいずれか１つに記載の衛生洗浄装置と、
前記衛生洗浄装置が取り付けられる便器と
を備えること
を特徴とするトイレ装置。
【発明の詳細な説明】
【技術分野】
【０００１】
開示の実施形態は、衛生洗浄装置およびトイレ装置に関する。
【背景技術】
【０００２】
従来、おしりなどの人体局部を洗浄する衛生洗浄装置には、洗浄水の流路を切り替えるディスクバルブ（固定ディスクと可動ディスクとによって流路を切り替えるバルブ）を備え、固定ディスクの周方向に、局部洗浄ポートとノズル洗浄ポートとをそれぞれ複数配置したものがある（たとえば、特許文献１および２参照）。
【先行技術文献】
【特許文献】
【０００３】
【特許文献１】特開２０１１−４２９８１号公報
【特許文献２】特開２００６−１７０４２９号公報
【発明の概要】
【発明が解決しようとする課題】
【０００４】
近年、衛生洗浄装置では、洗浄モードの多様化に伴い局部洗浄ポートの数が増えて固定ディスクのポート数が増大し、ポート数の増大が固定ディスクおよび可動ディスクの小型化の妨げとなっている。
【０００５】
ここで、固定ディスクおよび可動ディスクを小型化するために、たとえば、固定ディスクの径方向の内側（内径側）にもポートを設けることが考えられる。
【０００６】
しかしながら、固定ディスクの径方向の内径側にポートを設ける場合、かかるポートを露出させる（または、隠す）ためには可動ディスクの回転角が大きくなり、可動ディスクの回転角が大きくなる分、他のポートへの切り替えが遅くなる。なお、可動ディスクの回転角を小さくするために、たとえば、ポートの開口面積を小さくすると、洗浄水の必要流量を確保することができない。
【０００７】
実施形態の一態様は、固定ディスクおよび可動ディスクの小型化を実現することができると共に、洗浄水の必要流量を確保しつつ、ポート間の切り替え速度を向上させることができる衛生洗浄装置およびトイレ装置を提供することを目的とする。
【課題を解決するための手段】
【０００８】
実施形態の一態様に係る衛生洗浄装置は、少なくとも３つの流路を有し、前記各流路のそれぞれから供給された洗浄水を吐水可能な洗浄ノズルと、前記各流路に選択的に洗浄水を供給する流路切替部と、を備え、前記流路切替部は、一方面と前記一方面の反対側の他方面とを有する固定ディスクと、前記固定ディスクの前記一方面に当接し、前記一方面と直交する方向を回転軸として該一方面上で回転可能な可動ディスクと、を備え、前記固定ディスクは、前記一方面において前記可動ディスクの前記回転軸を中心とする第１円周上に複数配置され、前記各流路のいずれかとそれぞれ接続される第１ポートと、前記一方面において前記可動ディスクの前記回転軸を中心として前記第１円周よりも内径側となる第２円周上に配置され、前記各流路のいずれかと接続される第２ポートと、前記第２円周上に配置され、前記各流路のうち前記第２ポートに接続された流路と接続される第３ポートと、を備え、前記可動ディスクは、前記第１円周上に配置され、当該可動ディスクの回転により前記第１ポートを選択的に露出させる第１開口部と、前記第２円周上に配置され、前記第１ポートが露出しない場合に前記第２ポートを露出させる第２開口部と、前記第２円周上に配置され、前記第１ポートが露出しない場合に前記第２ポートと同時に前記第３ポートを露出させる第３開口部と、を備えることを特徴とする。
【０００９】
かかる構成によれば、第１円周よりも内径側となる第２円周上に、同じ流路と接続される２つのポート（第２ポートおよび第３ポート）が配置され、かつ、第２円周上に配置された第２ポートおよび第３ポートが同時に露出されることで、それぞれの開口面積を小さくしても、洗浄水の必要流量を確保することができる。また、第２ポートおよび第３ポートの開口面積が小さいため、第２ポートおよび第３ポートを露出させるために必要な可動ディスクの回転角を小さくすることができる。これにより、第１ポートから第２ポートおよび第３ポートへのポート間の切り替え速度を向上させることができる。以上のことから、固定ディスクおよび可動ディスクの小型化を実現することができると共に、洗浄水の必要流量を確保しつつ、ポート間の切り替え速度を向上させることができる。
【００１０】
また、上記した衛生洗浄装置においては、前記流路は、人体局部の洗浄に供する局部洗浄流路と、前記洗浄ノズルの洗浄に供するノズル洗浄流路と、を備え、前記第１ポートは、前記局部洗浄流路と接続され、前記第２ポートおよび前記第３ポートは、前記ノズル洗浄流路とそれぞれ接続されることを特徴とする。
【００１１】
かかる構成によれば、使用頻度が高いノズル洗浄から局部洗浄への切り替え速度を向上させることができる。
【００１２】
また、上記した衛生洗浄装置においては、前記第１ポートは、前記可動ディスクの回転により、前記第２ポートおよび前記第３ポートが前記ノズル洗浄流路と接続されてから前記局部洗浄流路と接続されることを特徴とする。
【００１３】
かかる構成によれば、ノズル洗浄を経た直後に局部洗浄へと切り替えることができる。これにより、衛生性を維持しつつ、使用頻度が高いノズル洗浄から局部洗浄への切り替え速度を向上させることができる。
【００１４】
また、上記した衛生洗浄装置においては、前記第２ポートおよび前記第３ポートは、前記可動ディスクの前記回転軸を挟んで互いに反対側に配置されることを特徴とする。
【００１５】
かかる構成によれば、可動ディスクが１回転する間に、第２ポートおよび第３ポートを２回露出させることができる。これにより、使用頻度が高いノズル洗浄から局部洗浄への切り替え速度をさらに向上させることができる。
【００１６】
さらに、実施形態の一態様に係るトイレ装置は、前記衛生洗浄装置と、前記衛生洗浄装置が取り付けられる便器とを備えることを特徴とする。
【００１７】
かかる構成によれば、衛生洗浄装置において、固定ディスクおよび可動ディスクの小型化を実現することができると共に、洗浄水の必要流量を確保しつつ、ポート間の切り替え速度を向上させることができる。
【発明の効果】
【００１８】
実施形態の一態様によれば、固定ディスクおよび可動ディスクの小型化を実現することができると共に、洗浄水の必要流量を確保しつつ、ポート間の切り替え速度を向上させることができる。
【図面の簡単な説明】
【００１９】
【図１】図１は、実施形態に係るトイレ装置および衛生洗浄装置を示す概略斜視図である。
【図２】図２は、実施形態に係る衛生洗浄装置の要部を示すブロック図である。
【図３】図３は、流調・流路切替弁の説明図である。
【図４Ａ】図４Ａは、固定ディスクを示す正面図である。
【図４Ｂ】図４Ｂは、固定ディスクを示す背面図である。
【図５】図５は、第１調整溝を示す断面図である。
【図６】図６は、固定ディスクおよび可動ディスクを示す正面図である。
【図７Ａ】図７Ａは、可動ディスクの動作説明図（その１）である。
【図７Ｂ】図７Ｂは、可動ディスクの動作説明図（その２）である。
【図７Ｃ】図７Ｃは、可動ディスクの動作説明図（その３）である。
【図７Ｄ】図７Ｄは、可動ディスクの動作説明図（その４）である。
【発明を実施するための形態】
【００２０】
以下、添付図面を参照して、本願の開示する衛生洗浄装置およびトイレ装置の実施形態を詳細に説明する。なお、以下に示す実施形態によりこの発明が限定されるものではない。
【００２１】
まず、図１を参照してトイレ装置１の構成について説明する。図１は、実施形態に係る衛生洗浄装置１０およびトイレ装置１を示す概略斜視図である。図１には、説明の便宜上、３次元の直交座標系を図示している。かかる直交座標系においては、Ｘ軸の正方向を「前方」、負方向を「後方」と規定し、Ｙ軸の正方向を「右方」、負方向を「左方」と規定し、Ｚ軸の正方向を「上方」、負方向を「下方」と規定している。
【００２２】
また、以下では、Ｘ軸方向を「前後方向」、Ｙ軸方向を「左右方向（水平方向ともいう）」、Ｚ軸方向を「上下方向（鉛直方向ともいう）」という場合がある。
【００２３】
図１に示すように、トイレ装置１は、洋式腰掛便器（以下、単に便器という）２と、衛生洗浄装置１０とを備える。衛生洗浄装置１０は、便器２の上面に取り付けられる。なお、衛生洗浄装置１０は、便器２と一体化するように取り付けられてもよいし、便器２に対して着脱可能に取り付けられてもよい。
【００２４】
便器２は、たとえば、陶器製である。便器２には、ボウル部２ａが形成される。ボウル部２ａは、下方に凹んだ形状であり、使用者の排泄物を受ける部位である。なお、便器２は、図示のような床置き式に限らず、壁掛け式でもよい。また、トイレ装置１は、便器２の後部に洗浄水を貯留する洗浄水タンク（図示省略）が設置されてもよいし、洗浄水タンクが設置されない、いわゆるタンクレス式でもよい。
【００２５】
また、トイレ装置２は、たとえば、サイホン作用を利用してボウル部２ａ内の汚物を引き込んでトラップ管路から排出する、いわゆるサイホン式でもよいし、たとえば、ボウル部２ａ内の洗浄水の落差による流水作用で汚物を押し流す、いわゆる洗い落し式でもよい。
【００２６】
衛生洗浄装置１０は、本体部１１と、便座１２と、便蓋１３とを備える。便座１２と便蓋１３とは、本体部１１に対してそれぞれ上下方向に回転可能に設けられる。なお、便蓋１３は、衛生洗浄装置１０に必要に応じて設けられ、省略可能である。
【００２７】
本体部１１は、便器２の上面におけるボウル部２ａよりも後方に配置される。本体部１１は、ケースカバー１１ａを備える。本体部１１は、ケースカバー１１ａにおいて、便座１２と便蓋１３とを回転可能に軸支している。
【００２８】
次に、図２を参照して衛生洗浄装置１０の要部構成について説明する。図２は、実施形態に係る衛生洗浄装置１０の要部を示すブロック図である。図２に示すように、衛生洗浄装置１０は、洗浄水供給部２０と、着座検知センサ３０と、人体検知センサ３１と、洗浄ノズル３２と、ノズル洗浄室３４と、噴霧ノズル３５と、脱臭ユニット４０と、制御部５０とを備える。
【００２９】
着座検知センサ３０は、使用者が便座１２に着座する直前において便座１２の上方に存在する人体や、便座１２に着座した使用者を検知する。着座検知センサ３０には、たとえば、赤外線投受光式の測距センサを用いてもよい。また、着座検知センサ３０は、便座１２に着座した使用者の荷重によってＯＮ・ＯＦＦが切り替わるスイッチでもよい。着座検知センサ３０は、使用者の着座の検知に基づいて、着座検知信号を制御部５０へ出力する。
【００３０】
人体検知センサ３１は、たとえば、赤外線信号を用いた焦電センサであり、トイレ装置１が設置された室内（以下、トイレルームという）に入室した使用者などの入室者を検知する。人体検知センサ３１は、制御部５０に接続され、検知信号を制御部５０へ出力する。
【００３１】
また、人体検知センサ３１は、たとえば、ドップラーセンサなどのマイクロ波センサでもよい。たとえば、マイクロ波のドップラー効果を利用したセンサや、マイクロ波を送信して反射させたマイクロ波の振幅（強度）に基づいて被検知体を検出するセンサなどを人体検知センサ３１として用いる場合、人体検知センサ３１は、トイレルーム内からドア越しにトイレルーム外の入室者の存在を検知することができる。すなわち、人体検知センサ３１は、トイレルームに入室する前の入室者（使用者）を検知することができる。
【００３２】
制御部５０は、洗浄水供給部２０、人体検知センサ３１、洗浄ノズル３２、ノズル洗浄室３４、噴霧ノズル３５および脱臭ユニット４０のそれぞれの動作を制御する。制御部５０は、たとえば、操作部５１から入力される操作指示に基づいて、各部の動作を制御する。操作部５１は、本体部１１に設けられてもよいし、本体部１１とは別に設けられてもよい。また、操作部５１は、いわゆるリモコンでもよい。また、制御部５０と操作部５１との間は、有線通信でもよいし、無線通信でもよい。
【００３３】
洗浄水供給部２０は、流路開閉弁２１と、熱交換器２２と、電解槽２３と、大気解放式のバキュームブレーカ（ＶＢ）２４と、電磁ポンプ２５と、流調・流路切替弁（流路切替部）２６とを備える。
【００３４】
流路開閉弁２１は、開閉可能な電磁バルブであり、制御部５０からの指令に基づいて、洗浄水の供給を制御する。流路開閉弁２１は、給水源から供給される洗浄水の給水と止水とを切り替える。
【００３５】
熱交換器２２は、流路開閉弁２１の下流に設けられる。熱交換器２２は、ヒータにより、給水源から供給された洗浄水を加熱して、たとえば、規定の温度まで昇温させる。熱交換器２２は、給水源から供給された洗浄水を、設定された温度の温水に変換する。以下、「洗浄水」は、給水源から供給された水（冷水）と、熱交換器２２によって温められた温水とを含むものとする。
【００３６】
また、熱交換器２２は、たとえば、セラミックヒータなどを用いた瞬間加熱式（瞬間式）の熱交換器でもよいし、貯湯タンクを用いた貯湯加熱式の熱交換器でもよい。使用者は、操作部５１を操作することにより、温水温度を設定する。
【００３７】
電解槽２３は、熱交換器２２の下流に設けられる。電解槽２３は、一対の電極を有し、制御部５０から出力された通電の制御信号に基づいて、電極間に流れる洗浄水（水道水）を電気分解する。電解槽２３は、洗浄水に含まれる塩素イオンを電気分解することにより、次亜塩素酸（ＨＣｌＯ）を含む液（以下、機能水という）を生成する。なお、機能水を含めて洗浄水と呼称する場合もある。
【００３８】
電解槽２３を通過した洗浄水および電解槽２３によって生成された機能水は、電磁ポンプ２５を介して、洗浄ノズル３２へ送られる。電磁ポンプ２５は、たとえば、洗浄ノズル３２に供給される洗浄水に脈動を与える。
【００３９】
洗浄ノズル３２は、吐水部３３を備える。吐水部３３は、たとえば、おしり洗浄吐水孔３３ａと、おしりソフト吐水孔３３ｂと、ビデ洗浄吐水孔３３ｃとを備える。
【００４０】
また、洗浄ノズル３２は、少なくとも３つの流路ＦＣを備える。洗浄ノズル３２は、各流路ＦＣのそれぞれから供給された洗浄水を吐水可能である。流路ＦＣは、局部洗浄流路ＦＣ１と、ノズル洗浄流路ＦＣ２とを備える。局部洗浄流路ＦＣ１は、おしりなどの人体局部の洗浄に供する流路である。ノズル洗浄流路ＦＣ２は、洗浄ノズル３２の洗浄に供する流路である。
【００４１】
洗浄ノズル３２は、局部洗浄流路ＦＣ１として、おしり洗浄流路ＦＣ１１と、おしりソフト流路ＦＣ１２と、ビデ洗浄流路ＦＣ１３と、ワイドビデ洗浄流路ＦＣ１４とを備える。おしり洗浄流路ＦＣ１１は、おしり洗浄吐水孔３３ａに接続され、おしり洗浄吐水孔３３ａに洗浄水または機能水を供給する。おしりソフト流路ＦＣ１２は、おしりソフト吐水孔３３ｂに接続され、おしりソフト吐水孔３３ｂに洗浄水または機能水を供給する。ビデ洗浄流路ＦＣ１３およびワイドビデ洗浄流路ＦＣ１４は、ビデ洗浄吐水孔３３ｃに接続され、ビデ洗浄吐水孔３３ｃに洗浄水または機能水を供給する。なお、洗浄ノズル３２が有する吐水部３３および流路ＦＣ（ＦＣ１）は、上記のものに限定されない。吐水部３３の数は、上記のように流路ＦＣの数と一致していなくてもよいし、流路ＦＣの数と一致していてもよい。
【００４２】
洗浄ノズル３２へ送られた洗浄水または機能水は、吐水部３３から上方に向かって吐水される。吐水部３３から吐水された洗浄水は、上記したように、便座１２（図１参照）に着座した使用者の局部洗浄などに用いられる。また、洗浄ノズル３２においては、ビデ洗浄流路ＦＣ１３からビデ洗浄吐水孔３３ｃに洗浄水を供給することにより、ビデ洗浄が行われ、ワイドビデ洗浄流路ＦＣ１４からビデ洗浄吐水孔３３ｃに洗浄水を供給することにより、ワイドビデ洗浄が行われる。機能水は、各吐水孔３３ａ〜３３ｃおよび各吐水孔３３ａ〜３３ｃへと至る流路ＦＣの洗浄などに用いられる。このように、洗浄ノズル３２は、４つの流路ＦＣ１１〜ＦＣ１４を有し、４つの流路ＦＣ１１〜ＦＣ１４のそれぞれから供給された洗浄水または機能水を吐水する。
【００４３】
電磁ポンプ２５と洗浄ノズル３２との間には、流調・流路切替弁（流路切替部）２６が設けられる。流調・流路切替弁２６は、電磁ポンプ２５を介して供給された洗浄水または機能水の行き先を、おしり洗浄流路ＦＣ１１、おしりソフト流路ＦＣ１２、ビデ洗浄流路ＦＣ１３、ワイドビデ洗浄流路ＦＣ１４、ノズル洗浄室３４、噴霧ノズル３５および脱臭ユニット４０のいずれかに切り替える。
【００４４】
流調・流路切替弁２６は、各流路ＦＣ、すなわち、おしり洗浄流路ＦＣ１１、おしりソフト流路ＦＣ１２、ビデ洗浄流路ＦＣ１３およびワイドビデ洗浄流路ＦＣ１４（以上、局部洗浄流路ＦＣ１）の他、ノズル洗浄室３４に通じる流路（ノズル洗浄流路ＦＣ２）、噴霧ノズル３５および脱臭ユニット４０へ通じる流路ＦＣに選択的に洗浄水または機能水を供給する。流調・流路切替弁２６は、洗浄ノズル３２の各吐水孔３３ａ〜３３ｃから吐水される洗浄水の吐水流量を変更する。なお、流調・流路切替弁２６の詳細については、図３などを用いて後述する。
【００４５】
ノズル洗浄室３４は、吐水部３４ａを備える。ノズル洗浄室３４は、吐水部３４ａから洗浄水または機能水を吐水することにより、洗浄ノズル３２の外面の洗浄、いわゆる胴体洗浄を行う。
【００４６】
噴霧ノズル３５は、便器２のボウル部２ａ（図１参照）の表面に洗浄水または機能水を噴霧する。噴霧ノズル３５は、ケースカバー１１ａ（図１参照）の内部に設けてもよいし、ケースカバー１１ａの外部に取り付けてもよい。
【００４７】
制御部５０は、たとえば、人体検知センサ３１による使用者の入室の検知に基づいて、噴霧ノズル３５から便器２のボウル部２ａの表面に水滴を噴霧する。すなわち、制御部５０は、使用者が便器２を使用する前に、便器２のボウル部２ａの表面を水滴で濡らす。これにより、ボウル部２ａの表面に汚物が付着するのを抑えることができる。
【００４８】
また、制御部５０は、たとえば、人体検知センサ３１がトイレルーム内の使用者を検知しなくなってから所定時間（たとえば、９０秒程度）が経過すると、噴霧ノズル３５から便器２のボウル部２ａの表面に向けて機能水を噴霧する。すなわち、制御部５０は、使用者が汚物を流し便器２の使用を終了した後に、ボウル部２ａの表面を機能水（次亜塩素酸水）で濡らす。これにより、悪臭のもとになる菌が、ボウル部２ａにおいて増えることを抑えることができ、便器２から悪臭が放出されることを抑えることができる。
【００４９】
脱臭ユニット４０は、トイレルーム内の空気を吸い込む。トイレルーム内の空気とは、主として便器２の外部の空気（ボウル部２ａ内以外の空気）をいう。脱臭ユニット４０は、吸い込んだ空気に含まれる悪臭成分を捕集または分解する。「悪臭成分」は、たとえば、アンモニア成分である。脱臭ユニット４０は、悪臭成分を捕集または分解した空気を、ケースカバー１１ａの外部（トイレルーム）へ吐き出す。
【００５０】
また、脱臭ユニット４０は、集塵フィルタ４１と、ファン（送風部）４２と、脱臭フィルタ４３と、噴霧部４４と、水受け部４５と、吸気口４６と、排気口４７とを備える。
【００５１】
集塵フィルタ４１は、吸気口４６とファン４２との間に設けられ、吸い込んだ空気に含まれる塵や埃などが、ファン４２へ送られることを抑制する。ファン４２は、吸気口４６からトイレルーム内の空気を吸い込み、吸い込んだ空気を排気口４７からトイレルームへ吐き出す。
【００５２】
脱臭フィルタ４３は、ファン４２と排気口４７との間に設けられる。噴霧部４４は、脱臭フィルタ４３よりも上方に設けられる。噴霧部４４は、電磁弁を備える。噴霧部４４は、制御部５０の制御に基づいて開弁動作を行い、流調・流路切替弁２６から供給された洗浄水または機能水を、脱臭フィルタ４３の上方から脱臭フィルタ４３に向けて噴霧する。
【００５３】
脱臭フィルタ４３は、たとえば、多孔質構造を有し、噴霧部４４から噴霧された洗浄水または機能水を保持する。水受け部４５は、脱臭フィルタ４３の下方に設けられ、脱臭フィルタ４３から滴下した水を受ける。
【００５４】
ファン４２が作動すると、吸気口４６から吸い込まれたトイレルーム内の空気が、脱臭フィルタ４３内を通過する。脱臭フィルタ４３が水分を保持した状態において、空気が脱臭フィルタ４３内を通過すると、空気中に含まれる悪臭成分が、脱臭フィルタ４３に保持された水分に取り込まれる。たとえば、空気中に含まれるアンモニア（ＮＨ３）が、脱臭フィルタ４３に保持された水分に溶解する。これにより、空気中に含まれる悪臭成分を低減させることができる。
【００５５】
悪臭成分が低減された空気は、排気口４７からトイレルームへ排出される。このように、脱臭ユニット４０は、トイレルーム内に常在する悪臭成分を捕集または分解することができる。これにより、使用者は、トイレルームに入室した場合にトイレルーム内に常在する悪臭成分による臭気を吸う可能性が低くなり、快適にトイレルームを利用することができる。
【００５６】
制御部５０は、たとえば、使用者のトイレ装置１（図１参照）の使用頻度が低い時間帯においては、ファン４２の動作を停止させる。制御部５０は、使用者のトイレ装置１の使用頻度が高い時間帯においては、ファン４２を動作させるとともに、定期的に噴霧部４４を動作させ、脱臭フィルタ４３に水分を保持させる。これにより、使用者がトイレルームに入室する可能性が高い時間帯において、トイレルーム内に常在する臭気を取り除くことができる。したがって、使用者が、トイレルーム内に常在する臭気を吸うことで不快感を感じることを抑制することができる。
【００５７】
次に、図３を参照して流調・流路切替弁２６について説明する。図３は、流調・流路切替弁２６の説明図である。図３に示すように、流調・流路切替弁２６は、固定ディスク（ステータ）２６１と、可動ディスク（ロータ）２６２と、ハウジング２６３と、駆動機構２６４とを備える。
【００５８】
固定ディスク２６１は、たとえば、円板状であり、一方面２６１ａ（上流側を向いた面、前面ともいう）と、一方面２６１ａの反対側の面（他方面）２６１ｂ（下流側を向いた面、後面ともいう）とを備える。固定ディスク２６１は、おしり洗浄流路ＦＣ１１、おしりソフト流路ＦＣ１２、ビデ洗浄流路ＦＣ１３、ワイドビデ洗浄流路ＦＣ１４、ノズル洗浄室３４、噴霧ノズル３５および脱臭ユニット４０のそれぞれに対応した複数のポート（開口部）を備える。固定ディスク２６１の各ポートは、上記した各部と個別に接続されている。
【００５９】
可動ディスク２６２は、たとえば、固定ディスク２６１と同程度の径を有する円板状である。可動ディスク２６２は、固定ディスク２６１の上流側に設けられる。可動ディスク２６２は、固定ディスク２６１の一方面（前面）２６１ａに当接する。可動ディスク２６２は、固定ディスク２６１の前面２６１ａと直交する方向を軸（以下、回転軸という）ＲＡに、前面２６１ａの上で摺動回転する。可動ディスク２６２は、固定ディスク２６１の１つのポートに対応する開口部を有する。たとえば、可動ディスク２６２の開口部が、固定ディスク２６１の１つのポートと重なると、固定ディスク２６１の別のポートが可動ディスク２６２によって閉塞される。これにより、可動ディスク２６２の開口部と重なった１つのポートのみに通水が可能となる。
【００６０】
流調・流路切替弁２６は、可動ディスク２６２を回転させることにより、通水可能となるポートを選択的に切り替える。これにより、選択するポートに応じて、おしり洗浄流路ＦＣ１１、おしりソフト流路ＦＣ１２、ビデ洗浄流路ＦＣ１３、ワイドビデ洗浄流路ＦＣ１４、ノズル洗浄室３４、噴霧ノズル３５および脱臭ユニット４０のいずれかに、洗浄水または機能水を選択的に供給することができる。
【００６１】
ハウジング２６３は、たとえば、円筒状であり、内部空間に固定ディスク２６１および可動ディスク２６２を収容する。ハウジング２６３は、可動ディスク２６２を回転可能に支持する。ハウジング２６３における可動ディスク２６２よりも上流側の内部空間は、配管などを介して電磁ポンプ２５と接続されている。電磁ポンプ２５を介して供給された洗浄水または機能水は、ハウジング２６３の内部空間から可動ディスク２６２および固定ディスク２６１を介して各部に供給される。
【００６２】
駆動機構２６４は、可動ディスク２６２に対して駆動力を供給し、可動ディスク２６２を回転させる。駆動機構２６４は、制御部５０に接続され、制御部５０の制御に基づいて可動ディスク２６２を回転させる。制御部５０は、駆動機構２６４を駆動して可動ディスク２６２を回転させ、固定ディスク２６１の各ポートのいずれかを選択することにより、洗浄水または機能水の行き先を切り替える。なお、駆動機構２６４は、漏水することなく可動ディスク２６２を回転させることができる任意の機構でよい。
【００６３】
次に、図４Ａおよび図４Ｂを参照して固定ディスク２６１について詳細に説明する。図４Ａは、固定ディスク２６１を示す正面（前面）図である。図４Ｂは、固定ディスク２６１を示す背面（後面）図である。上記したように、固定ディスク２６１は、前面２６１ａにおいて、図４Ａにおいて斜線で示す可動ディスク２６２の当接面と当接し、後面２６１ｂ側において洗浄ノズル３２などの各部と接続される。
【００６４】
また、固定ディスク２６１は、複数の第１ポート（１番ポート１０１〜４番ポート１０４）と、第２ポート（７番ポート１０７）と、第３ポート（８番ポート１０８）とを備える。第１ポート１０１〜１０４は、各流路ＦＣのいずれかとそれぞれ接続される。具体的には、第１ポート１０１〜１０４は、局部洗浄流路ＦＣ１（図２参照）と接続される。第２ポート１０７は、各流路ＦＣのうち、第１ポート１０１〜１０４と接続される流路ＦＣ以外のいずれかの流路ＦＣと接続される。第３ポート１０８は、各流路ＦＣのうち、第２ポート１０７に接続された流路ＦＣと接続される。具体的には、第２ポート１０７および第３ポート１０８は共に、ノズル洗浄流路ＦＣ２に接続される。
【００６５】
図４Ａに示すように、第１ポートである１番ポート１０１〜４番ポート１０４は、固定ディスク２６１の前面２６１ａにおいて、可動ディスク２６２の回転軸ＲＡを中心とする第１円周Ｃ１上にそれぞれ時計回りに順に並んで配置される。すなわち、前面２６１ａと正対した状態において、１番ポート１０１から第１円周Ｃ１に沿って時計回りに回転した位置に、２番ポート１０２が配置される。同様に、２番ポート１０２から時計回りに回転した位置に、３番ポート１０３が配置され、３番ポート１０３から時計回りに回転した位置に、４番ポート１０４が配置される。
【００６６】
１番ポート１０１〜４番ポート１０４は、第１円周Ｃ１の中心（回転軸ＲＡ）を基準に、前面２６１ａを第１領域Ｒ１〜第４領域Ｒ４の等角度の４つの領域に分けた場合に、第１領域Ｒ１〜第４領域Ｒ４のそれぞれに配置される。１番ポート１０１は、第１領域Ｒ１に配置され、２番ポート１０２は、第２領域Ｒ２に配置され、３番ポート１０３は、第３領域Ｒ３に配置され、４番ポート１０４は、第４領域Ｒ４に配置される。
【００６７】
ここで、第１円周Ｃ１上の１番ポート１０１と２番ポート１０２との中間位置ＭＰと第１円周Ｃ１の中心とを結ぶ仮想線を第１仮想線ＶＬ１とする。また、第１円周Ｃ１の中心を通り第１仮想線ＶＬ１と直交する仮想線を第２仮想線ＶＬ２とする。すなわち、第１領域Ｒ１〜第４領域Ｒ４は、たとえば、第１仮想線ＶＬ１と第２仮想線ＶＬ２とにより区切られた領域である。
【００６８】
第１補助ポート１１１は、前面２６１ａにおいて、第１円周Ｃ１と同軸、かつ、第１円周Ｃ１よりも径が小さい第２円周Ｃ２上に配置される。第２円周Ｃ２は、前面２６１ａにおいて第１円周Ｃ１よりも内径側に位置する。図４Ｂに示すように、第１補助ポート１１１は、後面２６１ｂ側において溝部１１３を介して３番ポート１０３と連通する。なお、図４Ｂにおいて斜線を付している部分は、斜線を付していない他の部分から立ち上がった壁部の端面（後端面）である。
【００６９】
第２補助ポート１１２は、前面２６１ａにおいて第２円周Ｃ２上に配置され、後面２６１ｂ側において溝部１１４を介して４番ポート１０４と連通する。
【００７０】
第２補助ポート１１２は、たとえば、第１円周Ｃ１の中心を挟んで第１補助ポート１１１の反対側に設けられる。すなわち、第２補助ポート１１２は、第１補助ポート１１１と略１８０度の関係にある。略１８０度とは、たとえば、１８０度±５度の範囲であり、より好ましくは、１８０度±１度の範囲である。
【００７１】
また、第１補助ポート１１１および第２補助ポート１１２は、たとえば、第２仮想線ＶＬ２上に配置される。言い換えると、第１補助ポート１１１および第２補助ポート１１２は、たとえば、第２円周Ｃ２と第２仮想線ＶＬ２との交点に配置される。
【００７２】
第１溝部１２１は、前面２６１ａに設けられ、１番ポート１０１から２番ポート１０２に向けて延びている。具体的には、第１溝部１２１は、１番ポート１０１から中間位置ＭＰに向けて延びている。
【００７３】
第２溝部１２２は、前面２６１ａに設けられ、２番ポート１０２から１番ポート１０１に向けて延びている。具体的には、第２溝部１２２は、２番ポート１０２から中間位置ＭＰに向けて延びている。
【００７４】
また、固定ディスク２６１は、５番ポート１０５および６番ポート１０６をさらに備える。５番ポート１０５は、第１円周Ｃ１上において、３番ポート１０３と４番ポート１０４との間に配置される。６番ポート１０６は、第１円周Ｃ１上において、４番ポート１０４と５番ポート１０５との間に配置される。５番ポート１０５は、第３領域Ｒ３に配置され、６番ポート１０６は、第４領域Ｒ４に配置される。なお、５番ポート１０５および６番ポート１０６は、第１円周Ｃ１上に配置される１番ポート１０１〜４番ポート１０４と共に、第１ポートに含まれてもよい。
【００７５】
第２ポートである７番ポート１０７は、第２円周Ｃ２上において、第１補助ポート１１１と第２補助ポート１１２との間に配置される。７番ポート１０７は、たとえば、第２円周Ｃ２と第１仮想線ＶＬ１との交点に配置される。７番ポート１０７は、たとえば、第１補助ポート１１１および第２補助ポート１１２と略９０度の関係にある。略９０度とは、たとえば、９０度±５度の範囲であり、より好ましくは、９０度±１度の範囲である。
【００７６】
第３ポートである８番ポート１０８は、７番ポート１０７と同様に、第２円周Ｃ２上において、第１補助ポート１１１と第２補助ポート１１２との間に配置される。８番ポート１０８は、たとえば、第２円周Ｃ２と第１仮想線ＶＬ１との交点に配置される。８番ポート１０８は、たとえば、第１補助ポート１１１および第２補助ポート１１２と略９０度の関係にある。略９０度とは、たとえば、９０度±５度の範囲であり、より好ましくは、９０度±１度の範囲である。
【００７７】
また、第２ポートである７番ポート１０７と第３ポートである８番ポート１０８とは、可動ディスク２６２の回転軸ＲＡを挟んで、互いに反対側に配置される。すなわち、７番ポート１０７は、第３領域Ｒ３および第４領域Ｒ４側に配置され、８番ポート１０８は、第１領域Ｒ１および第２領域Ｒ２側に配置される。なお、７番ポート１０７と８番ポート１０８の配置は、反対でもよい。
【００７８】
第１ポート１０１〜１０４のうち、１番ポート１０１は、たとえば、ワイドビデ洗浄流路ＦＣ１４と接続される。２番ポート１０２は、たとえば、おしりソフト流路ＦＣ１２と接続される。３番ポート１０３は、たとえば、おしり洗浄流路ＦＣ１１と接続される。４番ポート１０４は、たとえば、ビデ洗浄流路ＦＣ１３と接続される。このように、１番ポート１０１〜４番ポート１０４は、局部洗浄流路ＦＣ１（ＦＣ１１〜ＦＣ１４）のいずれかと接続される。
【００７９】
５番ポート１０５は、たとえば、脱臭ユニット４０の噴霧部４４と接続される。具体的には、５番ポート１０５は、噴霧部４４に通じる流路ＦＣと接続される。６番ポート１０６は、たとえば、噴霧ノズル３５と接続される。具体的には、６番ポート１０６は、噴霧ノズル３５に通じる流路ＦＣに接続される。第２ポートである７番ポート１０７は、たとえば、ノズル洗浄室３４の吐水部３４ａと接続される。具体的には、７番ポート１０７は、吐水部３４ａに通じる流路ＦＣ（ＦＣ２）に接続される。第３ポートである８番ポート１０８は、７番ポート１０７が接続されるノズル洗浄室３４の吐水部３４ａと接続される。具体的には、８番ポート１０８は、吐水部３４ａに通じる流路ＦＣ（ＦＣ２）に接続される。このように、５番ポート１０５〜８番ポート１０８は、ノズル洗浄流路ＦＣ２などの局部洗浄以外の用途の吐水部や噴霧部に洗浄水または機能水を供給する流路と接続される。
【００８０】
図４Ａに示すように、固定ディスク２６１は、第１調整溝１３１〜第４調整溝１３４をさらに備える。第１調整溝１３１〜第４調整溝１３４は、固定ディスク２６１の前面２６１ａに設けられる。第１調整溝１３１は、１番ポート１０１から第１円周Ｃ１に沿って周方向に延びている。第２調整溝１３２は、２番ポート１０２から第１円周Ｃ１に沿って周方向に延びている。第３調整溝１３３は、３番ポート１０３から第１円周Ｃ１に沿って周方向に延びている。第４調整溝１３４は、４番ポート１０４から第１円周Ｃ１に沿って周方向に延びている。第１調整溝１３１〜第４調整溝１３４はそれぞれ、たとえば、第２仮想線ＶＬ２に向けて周方向に延びている。
【００８１】
ここで、図５を参照して、第１調整溝１３１を例に各調整溝（第１調整溝〜第４調整溝）について説明する。図５は、第１調整溝１３１を示す断面図である。なお、図５には、図４ＡにおけるＡ−Ａ線断面を示している。図５に示すように、固定ディスク２６１の前面２６１ａにおいて、第１調整溝１３１は、１番ポート１０１から離間するにつれて、深さが浅くなる。なお、「深さ」とは、前面２６１ａから後面２６１ｂに向けた長さである。また、第１調整溝１３１の深さは、１番ポート１０１から離間するにつれて、連続的に浅くなってもよいし、段階的に浅くなってもよい。
【００８２】
第１調整溝１３１と同様に、第２調整溝１３２は、２番ポート１０２から離間するにつれて、深さが浅くなる。第３調整溝１３３は、３番ポート１０３から離間するにつれて、深さが浅くなる。第４調整溝１３４は、４番ポート１０４から離間するにつれて、深さが浅くなる。
【００８３】
次に、図６を参照して、固定ディスク２６１に組み付けられた状態における可動ディスク２６２について説明する。図６は、固定ディスク２６１および可動ディスク２６２を示す正面図である。図６に示すように、可動ディスク２６２は、第１開口部１４１と、第２開口部１４２と、第３開口部１４３とを備える。
【００８４】
第１開口部１４１は、可動ディスク２６２が固定ディスク２６１上を回転することで、第１ポート１０１〜１０４を選択的に露出させる。第２開口部１４２は、可動ディスク２６２が固定ディスク２６１上を回転することで第１ポート１０１〜１０４がいずれも露出しない場合に、第２ポート１０７を露出させる。第３開口部１４３は、可動ディスク２６２が固定ディスク２６１上を回転することで第１ポート１０１〜１０４がいずれも露出しない場合に、第２開口部１４２による第２ポート１０７の露出と同時に第３ポート１０８を露出させる。
【００８５】
第１開口部１４１は、第１円周Ｃ１上に配置され、上記したように、１番ポート１０１〜６番ポート１０６（図４Ａ参照）を選択的に露出させる。また、第１開口部１４１は、第１円周Ｃ１上の１番ポート１０１と２番ポート１０２との中間位置ＭＰにおいて、第１溝部１２１および第２溝部１２２を同時に露出させる。これにより、第１開口部１４１が中間位置ＭＰにある状態においては、１番ポート１０１と２番ポート１０２とに同時に通水を行うことができる。第１開口部１４１は、可動ディスク２６２の外周に切欠き状に設けられる。なお、第１開口部１４１は、貫通孔状でもよい。
【００８６】
第２開口部１４２は、第２円周Ｃ２上に配置され、第１開口部１４１が中間位置ＭＰにある状態において、第１補助ポート１１１を露出させる。第３開口部１４３は、第２円周Ｃ２上に配置され、第１開口部１４１が中間位置ＭＰにある状態において、第２補助ポート１１２を露出させる。
【００８７】
このように、第１開口部１４１が中間位置ＭＰにある状態においては、第１溝部１２１および第２溝部１２２が第１開口部１４１によって露出され、第１補助ポート１１１が第２開口部１４２によって露出され、第２補助ポート１１２が第３開口部１４３によって露出される。これにより、第１開口部１４１が中間位置ＭＰにある状態においては、１番ポート１０１〜４番ポート１０４のそれぞれに同時に通水を行うことができる。これにより、第１開口部１４１が中間位置ＭＰにある状態においては、局部洗浄流路ＦＣ１（図２参照）の各流路ＦＣ１１〜ＦＣ１４のそれぞれに同時に通水を行うことができる。
【００８８】
第１開口部１４１と第１円周Ｃ１の中心とを結ぶ第３仮想線ＶＬ３は、たとえば、第２開口部１４２と第３開口部１４３とを結ぶ第４仮想線ＶＬ４と直交する。すなわち、第１開口部１４１は、第２開口部１４２および第３開口部１４３のそれぞれと略９０度の関係にある。
【００８９】
可動ディスク２６２は、第１円周Ｃ１上において第１開口部１４１を配置可能な可動範囲ＭＲと、第１開口部１４１の配置が規制された規制範囲ＢＲとを有する。中間位置ＭＰは、第１円周Ｃ１の中心を挟んで規制範囲ＢＲの反対側に設けられる。なお、規制範囲ＢＲは、ストッパなどによって可動ディスク２６２の回転を物理的に規制した範囲でもよいし、制御部５０および駆動機構２６４（図３参照）によって可動ディスク２６２の回転を制御的に規制した範囲でもよい。
【００９０】
次に、図７Ａ〜図７Ｄを参照して、固定ディスク２６１上における可動ディスク２６２の動作について説明する。図７Ａ〜図７Ｄは、可動ディスク２６２の動作説明図である。なお、図７Ａ〜図７Ｄには、可動ディスク２６２が回転軸ＲＡを中心に固定ディスク２６１上を回転することで、各ポートを露出させる動作を示している。
【００９１】
また、図７Ａには、可動ディスク２６２が、０度（「便器きれい」位置）から時計回りに７０度（「バイパス（ＢＰ１）」位置）まで回転する状態を示している。図７Ｂには、可動ディスク２６２が、７０度から１６０度（「セルフクリーニング（ＳＣ）」位置）まで回転する状態を示している。図７Ｃには、可動ディスク２６２が、１６０度から２５０度（「バイパス（ＢＰ２）」位置）まで回転する状態を示している。図７Ｄには、可動ディスク２６２が、２５０度から３１５度（「においきれい」位置）まで回転する状態を示している。
【００９２】
図７Ａに示すように、可動ディスク２６２の回転角が、たとえば、０度（図中、上部左端に示す）では、第１開口部１４１が６番ポート１０６上に配置される。この場合、他のポートは、可動ディスク２６２の当接面によって閉塞される。これにより、噴霧ノズル３５（図４Ａ参照）のみに通水を行うことが可能となる。なお、６番ポート１０６が露出される位置を、便器きれい位置といい、便器２（図１参照）に洗浄水が噴射されて汚物の付着を抑制することができる。可動ディスク２６２の回転角が、たとえば、２２度（図中、上部中央に示す）では、第１開口部１４１が４番ポート１０４上に配置される。この場合も、他のポートは閉塞される。これにより、ビデ洗浄流路ＦＣ１３（図４Ａ参照）のみに通水を行うことが可能となる。
【００９３】
また、これ以降、可動ディスク２６２が時計回りに回転すると、第１開口部１４１が第４調整溝１３４上に配置されるとともに、第１開口部１４１の位置によって、露出される第４調整溝１３４の深さが変化する。すなわち、第４調整溝１３４において、水の流れる断面積を変化させる。これにより、ビデ洗浄流路ＦＣ１３に供給する洗浄水または機能水の流量を調整することができる。このように、第１調整溝１３１〜第４調整溝１３４により、各流路ＦＣ１１〜ＦＣ１４に供給する洗浄水または機能水の流量を調整することができる。
【００９４】
可動ディスク２６２の回転角が、たとえば、４２度（図中、上部右端に示す）では、第１開口部１４１が第４調整溝１３４上に配置される。この場合も、他のポートは閉塞される。これにより、ビデ洗浄流路ＦＣ１３（図４Ａ参照）に、２２度の場合よりも少量で通水を行うことが可能となる。可動ディスク２６２の回転角が、たとえば、５０度（図中、下部左に示す）では、第１開口部１４１が第４調整溝１３４上に配置される。この場合も、他のポートは閉塞される。これにより、ビデ洗浄流路ＦＣ１３に、４２度の場合よりもさらに少量で通水を行うことが可能となる。
【００９５】
可動ディスク２６２の回転角が、たとえば、７０度（図中、下部右に示す）では、第３開口部１４３が７番ポート１０７上に配置されるとともに、第２開口部１４２が８番ポート１０８上に配置される。この場合も、他のポートは閉塞される。これにより、ノズル洗浄室３４のみに通水を行うことが可能となる。なお、７番ポート１０７と８番ポート１０８が露出される位置を、バイパス（ＢＰ１，ＢＰ２）位置といい、洗浄ノズル３２の洗浄（胴体洗浄）を行う。局部洗浄を行う前には、ＢＰ１（ＢＰ２）位置に回転して衛生性の観点からこの胴体洗浄を行う。
【００９６】
図７Ｂに示すように、可動ディスク２６２がＢＰ１位置から時計回りに回転して、可動ディスク２６２の回転角が、たとえば、９４度（図中、上部左から２つ目に示す）では、第１開口部１４１が第１調整溝１３１上に配置される。この場合も、他のポートは閉塞される。これにより、ワイドビデ洗浄流路ＦＣ１４（図４Ａ参照）に少量で通水を行うことが可能となる。可動ディスク２６２の回転角が、たとえば、１０１度（図中、上部左から３つ目に示す）では、第１開口部１４１が第１調整溝１３１上に配置される。この場合も、他のポートは閉塞される。これにより、ワイドビデ洗浄流路ＦＣ１４に、９４度の場合よりも多量で通水を行うことが可能となる。
【００９７】
可動ディスク２６２の回転角が、たとえば、１０８度（図中、上部右端に示す）では、第１開口部１４１が第１調整溝１３１上に配置される。この場合も、他のポートは閉塞される。これにより、ワイドビデ洗浄流路ＦＣ１４（図４Ａ参照）に、１０１度の場合よりもさらに多量で通水を行うことが可能となる。可動ディスク２６２の回転角が、たとえば、１１５度（図中、下部左端に示す）では、第１開口部１４１が第１調整溝１３１上に配置される。この場合も、他のポートは閉塞される。これにより、ワイドビデ洗浄流路ＦＣ１４に、１０８度の場合よりもさらに多量で通水を行うことが可能となる。
【００９８】
可動ディスク２６２の回転角が、たとえば、１３４度（図中、下部中央に示す）では、第１開口部１４１が１番ポート１０１上に配置される。この場合も、他のポートは閉塞される。これにより、ワイドビデ洗浄流路ＦＣ１４（図４Ａ参照）のみに通水を行うことが可能となる。
【００９９】
また、可動ディスク２６２が時計回りにさらに回転し、可動ディスク２６２の回転角が、たとえば、１６０度（図中、下部左端に示す）では、第１開口部１４１が中間位置ＭＰ（図４Ａ参照）に配置される。この場合、上記したように、第１溝部１２１および第２溝部１２２が第１開口部１４１によって露出され、第１補助ポート１１１が第２開口部１４２によって露出され、第２補助ポート１１２が第３開口部１４３によって露出される。また、この場合、１番ポート１０１〜８番ポート１０８は、可動ディスク２６２によって閉塞される。これにより、局部洗浄流路ＦＣ１（ＦＣ１１〜ＦＣ１４）のみに同時に通水を行うことができる。なお、かかる位置をセルフクリーニング（ＳＣ）位置という。
【０１００】
図７Ｃに示すように、可動ディスク２６２がＳＣ位置から時計回りに回転して、可動ディスク２６２の回転角が、たとえば、１９２度（図中、上部中央に示す）では、第１開口部１４１が２番ポート１０２上に配置される。この場合も、他のポートは閉塞される。これにより、おしりソフト流路ＦＣ１２（図４Ａ参照）のみに通水を行うことが可能となる。
【０１０１】
可動ディスク２６２の回転角が、たとえば、２１３度（図中、上部右端に示す）では、第１開口部１４１が第２調整溝１３２上に配置される。この場合も、他のポートは閉塞される。これにより、おしりソフト流路ＦＣ１２（図４Ａ参照）に少量で通水を行うことが可能となる。可動ディスク２６２の回転角が、たとえば、２２１度（図中、下部左に示す）では、第１開口部１４１が第２調整溝１３２上に配置される。この場合も、他のポートは閉塞される。これにより、おしりソフト流路ＦＣ１２に、２１３度の場合よりもさらに少量で通水を行うことが可能となる。
【０１０２】
可動ディスク２６２の回転角が、たとえば、２５０度（図中、下部右に示す）では、第２開口部１４２が７番ポート１０７上に配置されるとともに、第３開口部１４３が８番ポート１０８上に配置される。この場合も、他のポートは閉塞される。これにより、ノズル洗浄室３４のみに通水を行うことが可能となる。なお、かかる位置も、バイパス（ＢＰ２）位置であり、洗浄ノズル３２の洗浄（胴体洗浄）を行う。
【０１０３】
図７Ｄに示すように、可動ディスク２６２がＢＰ２位置から時計回りに回転して、可動ディスク２６２の回転角が、たとえば、２７４度（図中、上部右に示す）では、第１開口部１４１が第３調整溝１３３上に配置される。この場合も、他のポートは閉塞される。これにより、おしり洗浄流路ＦＣ１１（図４Ａ参照）に少量で通水を行うことが可能となる。可動ディスク２６２の回転角が、たとえば、２９３度（図中、下部左に示す）では、第１開口部１４１が３番ポート１０３上に配置される。この場合も、他のポートは閉塞される。これにより、おしり洗浄流路ＦＣ１１のみに通水を行うことが可能となる。
【０１０４】
可動ディスク２６２が時計回りにさらに回転して、可動ディスク２６２の回転角が、たとえば、３１５度（図中、下部右に示す）では、第１開口部１４１が５番ポート１０５上に配置される。この場合も、他のポートは閉塞される。これにより、脱臭ユニット４０（図４Ａ参照）のみに通水を行うことが可能となる。なお、かかる位置をにおいきれい位置という。
【０１０５】
このように、固定ディスク２６１および可動ディスク２６２は、各流路ＦＣ１１〜ＦＣ１４に選択的に洗浄水または機能水を供給できるとともに、各流路ＦＣ１１〜ＦＣ１４に同時に洗浄水または機能水を供給することができる。また、固定ディスク２６１および可動ディスク２６２は、可動ディスク２６２の可動範囲ＭＲにおいて、各流路ＦＣ１１〜ＦＣ１４に同時に通水が行われる状態を、一度のみとすることができる。これにより、意図しない流路ＦＣへの洗浄水または機能水の供給を抑制し、制御性を向上させることができる。
【０１０６】
また、可動ディスク２６２が時計回りに回転する間に２つのバイパス位置（ＢＰ１位置およびＢＰ２位置）があるため、第１ポートである１番ポート１０１〜４番ポート１０４は、第２ポート（７番ポート）１０７および第３ポート（８番ポート）１０８がノズル洗浄流路ＦＣ２と接続されてから、すなわち、可動ディスク２６２がＢＰ１位置およびＢＰ２位置を経由してから、局部洗浄流路ＦＣ１（ＦＣ１１〜ＦＣ１４）と接続可能となる。
【０１０７】
次に、本実施形態に係る衛生洗浄装置１０の動作について説明する。衛生洗浄装置１０の制御部５０は、人体検知センサ３１がトイレルームへの使用者の入室を検知すると、可動ディスク２６２を「便器きれい」位置へと回転させ、噴霧ノズル３５から便器２のボウル部２ａの表面に水滴を噴霧する。これにより、ボウル部２ａの表面に汚物が付着するのを抑制することができる。
【０１０８】
衛生洗浄装置１０は、使用者の身体の洗浄（本洗浄）を開始する前に、温水準備の動作を実行する。温水準備は、第１の温水準備工程と、第２の温水準備工程とを含む。制御部５０は、操作部５１から局部洗浄動作の指示を受けると、第１の温水準備工程を実行する。第１の温水準備工程は、「前洗浄」の工程と、「胴体洗浄」の工程とを含む。
【０１０９】
「前洗浄」では、制御部５０は、流路開閉弁２１および流調・流路切替弁２６を制御し、可動ディスク２６２をＳＣ位置へと回転させ、吐水部３３のすべての吐水孔３３ａ〜３３ｃから水を吐水させる。これにより、熱交換器２２と洗浄ノズル３２との間の各流路ＦＣ１１〜ＦＣ１４の内部の水は、熱交換器２２により加熱された温水に置換される。
【０１１０】
前洗浄の動作中には、洗浄ノズル３２は、ケースカバー１１ａの内部に後退した待機状態にある。このため、吐水部３３から吐水された水は、たとえば、ノズル洗浄室３４の内面により反射して洗浄ノズル３２の外周面や吐水部３３にかかる。これにより、洗浄ノズル３２の外周面や吐水部３３は、洗浄ノズル３２自身が吐水した水であって、ノズル洗浄室３４の内面により反射した水によって洗浄される（「セルフクリーニング（ＳＣ）」）。
【０１１１】
「胴体洗浄」では、制御部５０は、流路開閉弁２１および流調・流路切替弁２６を制御し、可動ディスク２６２をＢＰ１位置またはＢＰ２位置へと回転させ、ノズル洗浄室３４に設けられた吐水部３４ａから水を噴射させる。これにより、洗浄ノズル３２の外周表面を洗浄することができる。制御部５０は、たとえば、ビデ洗浄またはワイドビデ洗浄が指示された場合に、可動ディスク２６２をＢＰ１位置へと回転させ、おしり洗浄またはおしりソフト洗浄が指示された場合に、可動ディスク２６２をＢＰ２位置へと回転させる。
【０１１２】
制御部５０は、ノズルモータ（図示省略）を制御し、洗浄ノズル３２を便器２のボウル部２ａ内に進出させる。制御部５０は、洗浄ノズル３２の進出時にノズル洗浄室３４の吐水部３４ａから水を噴射させることで、洗浄ノズル３２の外周表面を洗浄する。
【０１１３】
このように、制御部５０は、第１の温水準備工程を実行することで、熱交換器２２と洗浄ノズル３２との間の各流路ＦＣ１１〜ＦＣ１４の内部の水の温度を熱交換器２２により規定の温度まで昇温させることができる。この後、制御部５０は、流調・流路切替弁２６を制御し、使用者からの指示に基づいて局部洗浄用の各流路ＦＣ１１〜ＦＣ１４のいずれかに通水を行う。ノズル洗浄室３４に対応する位置から各流路ＦＣ１１〜ＦＣ１４の位置に可動ディスク２６２を回転させる場合、各調整溝１３１〜１３４により、徐々に流量を増大させることができる。
【０１１４】
また、制御部５０は、たとえば、着座検知センサ３０が便座１２に着座した使用者を検知すると、第１の温水準備工程を実行する前に第２の温水準備工程を実行する。第２の温水準備工程は、「捨水」の工程を有する。なお、第２の温水準備工程の開始のトリガは、着座検知センサ３０が使用者を検知することに限定されず、人体検知センサ３１あるいは入室検知センサなどが使用者を検知することでもよい。
【０１１５】
捨水工程では、制御部５０は、流路開閉弁２１および流調・流路切替弁２６を制御し、可動ディスク２６２をＳＣ位置へと回転させ、吐水部３３のすべての吐水孔３３ａ〜３３ｃから水を吐水させる。これにより、流路ＦＣの内部の水は、便器２のボウル部２ａに排出される。
【０１１６】
このように、制御部５０は、第２の温水準備工程を実行することで、流路ＦＣの内部への給水を開始し、流路ＦＣの内部に残っていた水を便器２のボウル部２ａに排出する。なお、第２の温水準備工程は、必ずしも実行されなくてもよい。
【０１１７】
本実施形態に係る衛生洗浄装置１０によれば、第１円周Ｃ１よりも内径側となる第２円周Ｃ２上に、同じ流路ＦＣ（ＦＣ２）と接続される２つのポート（第２ポート１０７および第３ポート１０８）が配置され、かつ、第２円周Ｃ２上に配置された第２ポート１０７および第３ポート１０８が同時に露出されることで、それぞれの開口面積を小さくしても、洗浄水（または機能水）の必要流量を確保することができる。また、第２ポート１０７および第３ポート１０８の開口面積が小さいため、第２ポート１０７および第３ポート１０８を露出させるために必要な可動ディスク２６２の回転角を小さくすることができる。これにより、第１ポート１０１〜１０４から第２ポート１０７および第３ポート１０８へのポート間の切り替え速度を向上させることができる。以上のことから、固定ディスク２６１および可動ディスク２６２の小型化を実現することができると共に、洗浄水の必要流量を確保しつつ、ポート間の切り替え速度を向上させることができる。
【０１１８】
また、第１ポート１０１〜１０４が局部洗浄流路ＦＣ１と接続され、第２ポート１０７および第３ポート１０８がノズル洗浄流路ＦＣ２とそれぞれ接続されることで、使用頻度が高いノズル洗浄から局部洗浄への切り替え速度を向上させることができる。
【０１１９】
また、第１ポート１０１〜１０４が第２ポート１０７および第３ポート１０８のノズル洗浄流路ＦＣ２との接続を経由してから局部洗浄流路ＦＣ１と接続されるため、ノズル洗浄を経た直後に局部洗浄へと切り替えることができる。これにより、衛生性を維持しつつ、使用頻度が高いノズル洗浄から局部洗浄への切り替え速度を向上させることができる。
【０１２０】
また、第２ポート１０７および第３ポート１０８が可動ディスク２６２の回転軸を挟んで互いに反対側に配置されることで、可動ディスク２６２が可動範囲ＭＲを１回転する間に、第２ポート１０７および第３ポート１０３を２回露出させることができる。これにより、使用頻度が高いノズル洗浄から局部洗浄への切り替え速度をさらに向上させることができる。
【０１２１】
また、１番ポート１０１〜４番ポート１０４を同一円周上に配置するとともに、第１補助ポート１１１および第２補助ポート１１２を同一円周上に配置するため、洗浄モードの多様化に対応しつつ、固定ディスク２６１および可動ディスク２６２の大型化を抑制することができる。また、第２補助ポート１１２が第１円周Ｃ１の中心を挟んで第１補助ポート１１１の反対側に設けられるため、第１補助ポート１１１および第２補助ポート１１２を効率的に配置可能となり、可動ディスク２６２の可動範囲ＭＲを広げて、固定ディスク２６１および可動ディスク２６２の大型化を抑制することができる。
【０１２２】
また、第１開口部１４１と第１円周Ｃ１の中心とを結ぶ第３仮想線ＶＬ３が、第２開口部１４２と第３開口部１４３とを結ぶ第４仮想線ＶＬ４と直交するため、第２開口部１４２および第３開口部１４３を効率的に配置可能となり、固定ディスク２６１および可動ディスク２６２の大型化を抑制することができる。また、１番ポート１０１〜４番ポート１０４が、第１領域Ｒ１〜第４領域Ｒ４のそれぞれに配置されるため、１番ポート１０１〜４番ポート１０４を効率的に配置可能となり、固定ディスク２６１および可動ディスク２６２の大型化を抑制することができる。
【０１２３】
また、本実施形態に係るトイレ装置１によれば、上記した衛生洗浄装置１０を備えることで、衛生洗浄装置１０において、固定ディスク２６１および可動ディスク２６２の小型化を実現することができると共に、洗浄水（または機能水）の必要流量を確保しつつ、ポート間の切り替え速度を向上させることができる。
【０１２４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２５】
１    トイレ装置
２    便器
１０    衛生洗浄装置
２６    流調・流路切替弁（流路切替部）
２６１    固定ディスク
２６１ａ  前面（一方面）
２６１ｂ  後面（他方面）
２６２    可動ディスク
３２    洗浄ノズル
１０１    １番ポート（第１ポート）
１０２    ２番ポート（第１ポート）
１０３    ３番ポート（第１ポート）
１０４    ４番ポート（第１ポート）
１０７    ７番ポート（第２ポート）
１０８    ８番ポート（第３ポート）
１４１    第１開口部
１４２    第２開口部
１４３    第３開口部
Ｃ１    第１円周
Ｃ２    第２円周
ＦＣ    流路
ＦＣ１    局部洗浄流路
ＦＣ２    ノズル洗浄流路
ＲＡ    回転軸
【図１】
2019027248.tif 000003
【図２】
2019027248.tif 000004
【図３】
2019027248.tif 000005
【図４Ａ】
2019027248.tif 000006
【図４Ｂ】
2019027248.tif 000007
【図５】
2019027248.tif 000008
【図６】
2019027248.tif 000009
【図７Ａ】
2019027248.tif 000010
【図７Ｂ】
2019027248.tif 000011
【図７Ｃ】
2019027248.tif 000012
【図７Ｄ】
2019027248.tif 000013